(57)【特許請求の範囲】
【請求項１】
厚みの薄いディスプレイと、このディスプレイの底面から延設するよう前記ディスプレイに取り付けられる脚部とを備える薄型表示装置を梱包箱に梱包する薄型表示装置の梱包構造において、
前記脚部は、設置面と面接触する底面を備える厚みの薄いスタンドベースと、前記スタンドベースと前記ディスプレイとを連結する脚柱部とから構成され、
前記スタンドベースは、前記脚柱部から取外された状態で、帯状の基部と、この基部の長手方両端を略垂直に折り曲げて形成された側面部とで構成される補強部材に固定されて、前記梱包箱に収容された前記ディスプレイの背面側に、前記底面を前記ディスプレイに対向させるよう配置して前記梱包箱に収容され、
梱包された前記ディスプレイの幅方向を水平方向とし同ディスプレイの高さ方向を垂直方向とした場合に、
前記基部は、この基部の垂直方向における上部を略垂直に切り起こして形成された上部保持片と、前記上部保持片と垂直方向に対向するよう、前記基部の垂直方向における下部を切り起こして形成した下部保持片とを備えた形状であって、
前記スタンドベースは、前記補強部材における前記上部保持片と前記下部保持片との間であって、当該スタンドベースの底面が前記補強部材の基部と対向するよう配置され、更に、前記上部保持片の先端部位を下方に折り返すとともに、前記下部保持片の先端部位を上方に折り返し、前記上部保持片及び下部保持片における前記折り返された片を、接着手段により互いに連結して、前記補強部材に固定されることを特徴とする薄型表示装置の梱包構造。
【請求項２】
前記脚柱部は、ディスプレイに固定された状態で、前記梱包箱に収容されることを特徴とする請求項１に記載の薄型表示装置の梱包構造。
【請求項３】
前記上部保持片は、下方に折り曲げられた先端部位の折線を跨ぐように、一組の切り込みを入れるとともに、前記一組の切り込みの内部を下凸状に折り曲げることで形成された当接部位を２個有し、
前記スタンドベースは、前記当接部位にその外周縁部を当接されつつ前記補強部材に固定されることを特徴とする請求項１又は請求項２のいずれかに記載の薄型表示装置の梱包構造。
【請求項４】
前記上部保持片は、前記基部から切り起こされた部位に、スリット状の開口が形成されており、
前記スタンドベースは、前記開口に縁部を挿入させて前記補強部材に固定されることを特徴とする請求項１〜請求項３のいずれか一項に記載の薄型表示装置の梱包構造。
【請求項５】
前記スタンドベースは、前記ディスプレイに連結した場合におけるディスプレイの表示面側を前面側とした場合に、該スタンドベースの前面側が後方に向けて凹状に湾曲するよう形成され、
前記補強部材における、前記上部保持片及び下部保持片とは、前記スタンドベースの前面側における湾曲の底部を含む外周を包むよう前記接着部材により固定されることを特徴とする請求項１に記載の薄型表示装置の梱包構造。
【発明の詳細な説明】
【技術分野】
【０００１】
本発明は、薄型表示装置の梱包構造に関するものである。
【背景技術】
【０００２】
従来、テレビジョン受信機等の薄型表示装置を、組み立て工場から小売店等に出荷するに際し、薄型表示装置を梱包箱に梱包していた。梱包箱は、薄型表示装置の出荷過程において、薄型表示装置を外部からの衝撃等から保護する機能を備えている。また、梱包箱を箱状とすることで、各梱包箱を積み上げたり隙間なく隣接させることが可能となるため、梱包箱は、薄型表示装置を運搬車に積み込み易くする機能をも備えている。
【０００３】
例えば、特許文献１には、スタンドを備えた薄型表示装置の梱包構造が開示されている。
開示された梱包構造では、薄型表示装置は、表示部を備えるディスプレイと、スタンド支柱と、スタンドベースとに分割可能な構成とされ、分割された状態で梱包箱に収容することで梱包箱の容積を小さくしている。
【特許文献１】特開２００４−１３１００号公報
【発明の開示】
【発明が解決しようとする課題】
【０００４】
しかしながら、薄型表示装置を複数の部位に分割して梱包箱に梱包した場合、梱包箱にディスプレイを収容した後、スタンドベース及びスタンド支柱を梱包箱内部の内壁と薄型表示装置との隙間に収容させることとなる。そのため、スタンドベース及びスタンド支柱を工夫して梱包箱に収容しないと、梱包箱に収まりきらない場合があり、梱包箱の寸法を大きくする必要があった。
【０００５】
本発明は、上記課題に鑑みてなされたもので、梱包箱の体積を小さくすることが可能な薄型表示装置の梱包構造を提供する。
【課題を解決するための手段】
【０００６】
上記課題を解決するために、本発明の一局面では、厚みの薄いディスプレイと、このディスプレイの底面から延設するよう前記ディスプレイに取り付けられる脚部とを備える薄型表示装置を梱包箱に梱包する薄型表示装置の梱包構造において、前記脚部は、設置面と面接触する底面を備える厚みの薄いスタンドベースと、前記スタンドベースと前記ディスプレイとを連結する脚柱部とから構成され、前記スタンドベースは、前記脚柱部から取外された状態で、帯状の基部と、この基部の長手方両端を略垂直に折り曲げて形成された側面部とで構成される補強部材に固定されて、前記梱包箱に収容された前記ディスプレイの背面側に前記底面を前記ディスプレイに対向させるよう配置して前記梱包箱に収容され、梱包された前記ディスプレイの幅方向を水平方向とし同ディスプレイの高さ方向を垂直方向とした場合に、前記基部は、この基部の垂直方向における上部を略垂直に切り起こして形成された上部保持片と、前記上部保持片と垂直方向に対向するよう、前記基部の垂直方向における下部を切り起こして形成した下部保持片とを備えた形状であって、前記スタンドベースは、前記補強部材における前記上部保持片と前記下部保持片との間であって、当該スタンドベースの底面が前記補強部材の基部と対向するよう配置され、更に、前記上部保持片の先端部位を下方に折り返すとともに、前記下部保持片の先端部位を上方に折り返し、前記上部保持片及び下部保持片における前記折り返された片を、接着手段により互いに連結して、前記補強部材に固定される。
【０００７】
上記のように構成された発明では、前記脚部は、設置面と面接触する底面を備える厚みの薄いスタンドベースと、スタンドベースとディスプレイとを連結する脚柱部とから構成される。また、スタンドベースは、脚柱部から取外された状態で、帯状の基部と、この基部の長手方両端を略垂直に折り曲げて形成された側面部とで構成される補強部材に固定されて、梱包箱に収容されたディスプレイの背面側に底面をディスプレイに対向させるよう配置して梱包箱に収容される。そして、梱包されたディスプレイの幅方向を水平方向とし同ディスプレイの高さ方向を垂直方向とした場合に、基部は、基部の垂直方向における上部を略垂直に切り起こして形成された上部保持片と、上部保持片と垂直方向に対向するよう、基部の垂直方向における下部を切り起こして形成した下部保持片とを備えた形状である。更に、スタンドベースは、補強部材における上部保持片と下部保持片との間であって、当該スタンドベースの底面が前記補強部材の基部と対向するよう配置され、かつ、上部保持片の先端部位を下方に折り返すとともに、下部保持片の先端部位を上方に折り返し、上部保持片及び下部保持片における前記折り返された片を、接着手段により互いに連結して、補強部材に固定される。
そのため、スタンドベースは、ディスプレイの厚み方向を同じにして補強部材に固定されて梱包箱に収容されるため、梱包箱の厚み方向に無駄なスペースを必要とせず、梱包箱の体積を小さくすることができる。
【０００８】
好ましくは、前記脚柱部は、ディスプレイに固定された状態で、前記梱包箱に収容される。
上記のように構成された発明では、脚柱部をディスプレイ側に固定して梱包箱に収容するため、スタンドベースの高さ方向の寸法をより短くして、梱包箱に収容させることができるため、梱包箱をより小さくすることができる。
【０００９】
好ましくは、前記上部保持片は、下方に折り曲げられた先端部位の折線を跨ぐように、一組の切り込みを入れるとともに、前記一組の切り込みの内部を下凸状に折り曲げることで形成された当接部位を、２個有し、前記スタンドベースは、前記当接部位にその外周縁部を当接されつつ前記補強部材に固定される。
上記のように構成された発明では、スタンドベースは、下凸状に折り曲げられた保持片にその縁部を当接されて補強部材に固定されるため、スタンドベースの外形形状が多角形状であってもその動きを規制して補強部材に固定することができる。
【００１０】
好ましくは、前記上部保持片は、前記第１の部位から延設する片にスリット状の開口が形成されており、前記スタンドベースは、前記開口に縁部を挿入させて前記補強部材に固定される。
上記のように構成された発明では、前記スリット状の開口にスタンドベースの縁部を挿入して収容することで、スタンドベースの動きを確実に規制しつつ補強部材に収容することができる。
【００１１】
好ましくは、前記梱包箱の厚みと略同寸の厚みを有する箱状であって、前記ディスプレイが嵌合する溝を備える保護部材とを有し、前記ディスプレイは、同ディスプレイの四隅に前記保護部材を嵌合させて、前記梱包箱に収容される。
上記のように構成された発明では、保護部材によりディスプレイの四隅が確実に固定されて梱包箱に収容されるため、ディスプレイは梱包箱内部で動くことはなく、ディスプレイを確実に保護することができる。
【００１２】
本発明の他の局面として、前記スタンドベースは、前記ディスプレイに連結した場合におけるディスプレイの表示面側を前面側とした場合に、該スタンドベースの前面側が後方に向けて凹状に湾曲するよう形成され、前記補強部材における、前記上部保持片及び下部保持片とは、前記スタンドベースの前面側における湾曲の底部を含む外周を包むよう前記接着部材により固定され、前記梱包箱の厚みと略同寸の厚みを有する箱状であって、前記ディスプレイが嵌合する溝を備える第１から第４の保護部材とを有し、前記ディスプレイは、四隅に前記第１から第４の保護部材を嵌合させつつ、前記脚柱部を前記ディスプレイの底面側に固定した状態で、前記梱包箱に収容される。
【発明の効果】
【００１３】
以上説明したように本発明によれば、梱包箱の体積を小さくすることができる。
また請求項２にかかる発明によれば、梱包箱をより小さくすることができる。
そして請求項３にかかる発明によれば、スタンドベースの外形形状が多角形状であってもその動きを規制して補強部材に固定することができる。
さらに請求項４にかかる発明によれば、スタンドベースの動きを確実に規制しつつ補強部材に収容することができる。
【発明を実施するための最良の形態】
【００１４】
以下、下記の順序に従って本発明の実施形態を説明する。
１．第１の実施の形態：
２．第２の実施の形態：
３．第３の実施の形態：
【００１５】
１．第１の実施の形態：
図１は、薄型表示装置の梱包構造を説明する展開図である。
薄型表示装置の梱包構造では、スタンドベース９１をその底面がディスプレイ９３の背面と対向するよう配置して梱包箱２０に収容する。このとき、スタンドベース９１は、ホールドパッド（補強部材）１０を用いて薄型表示装置９０の背面側に配置される。このため、梱包箱２０の容積における厚み方向は、薄型表示装置９０の厚み、スタンドベース９１の厚み、及びホールドパッド１０の厚みの和以上であればよく、本薄型表示装置の梱包構造１００は、梱包箱２０の厚みを薄くすることができる。そのため、従来の梱包構造で運送する場合に比べて、本薄型表示装置の梱包構造１００は、運送車に荷積めする梱包箱の数を多くすることができる。
【００１６】
図２は、本発明に係る薄型表示装置をスタンドベースの底面側から見た斜視図である。薄型表示装置９０は、表示画面及び筺体とを備えるディスプレイ９３と、ディスプレイ９３の自立を支持する機能を備えるスタンドベース９１と、ディスプレイ９３とスタンドベース９１との間に介在して、両者を連結させる機能を備える脚柱部９２とを備えている。スタンドベース９１と、脚柱部９２とは、例えば、底面側からスタンドベース９１を貫通するねじ部品９４，９４により、脚柱部９２に備えられた雌ねじ部９５，９５にねじ止めされてディスプレイ９３に固定される。また、ディスプレイ９３と脚柱部９２とは、脚柱部９２の一部として形成されたフレーム９６（点線部）とディスプレイ９３とをねじ部品９７，９７，９７，９７で友締めして固定される。
【００１７】
本実施形態におけるスタンドベース９１は、板状の支持板９８と、支持板９８を外装する脚部カバー９９とから構成されている。支持板９８には、前述したねじ部品９４，９４のねじ部が貫通する貫通穴９７ａ，９７ａが形成されている。また、脚部カバー９９は、スタンドベース９１をディスプレイ９３にねじ止めした際、前部が凹状に湾曲するよう形成されている。ここで、前面とは、ディスプレイ９３における表示面が配置されている面である。
【００１８】
図３は、本発明における薄型表示装置の梱包構造を構成する各部を説明する展開図である。薄型表示装置の梱包構造１００は、薄型表示装置９０を収容する機能を備える梱包箱２０と、薄型表示装置９０の四隅と嵌合して、薄型表示装置９０を梱包箱２０内部に固定する機能を備える保護部材３０と、薄型表示装置９０を梱包する際、スタンドベース９１を所定位置に配置する機能を備えるホールドパッド１０とを備えている。
【００１９】
梱包箱２０は、梱包箱２０の上方を形成する上部箱体２１と、梱包箱２０の下方を形成する下部箱体２２とで構成されている。上部箱体２１の底面及び下部箱体２２の天面には、それぞれ底面開口２３及び天面開口２４が形成されており、また、上部箱体２１の底面開口２３の内周は下部箱体２２の天面開口２４の外周より大きくなるよう構成されている。そのため、下部箱体２２の天面開口２４から薄型表示装置９０をその内部に収容した後、上部箱体２１の底面開口２３から薄型表示装置９０をその内部に収容しつつ上部箱体２１の底面開口２３に下部箱体２２の天面開口２４の縁部２４ａを挿入して、薄型表示装置９０を梱包箱２０内部に密閉することができる。
【００２０】
保護部材３０は、略箱型形状であって、ディスプレイ９３の四隅と嵌合する溝３１ａ，３２ａを備える形状である。保護部材３０は、ディスプレイ９３の上方の角と嵌合する保護部材３１，３１と、ディスプレイ９３の下部の角と嵌合する保護部材３２，３２とで構成されている。また、各保護部材３１，３２は、ディスプレイ９３に嵌合した際、その厚み方向の寸法が、梱包箱２０の容積の厚みと略同寸になるよう形成されている。そのため、保護部材３０をディスプレイ９３の四隅に嵌合させた状態で、梱包箱２０に収容した場合、保護部材３０の厚み方向で前後の面３１ｂ，３１ｃ，３２ｂ，３２ｃと梱包箱２０の内壁とが当接して嵌合し、薄型表示装置９０の動きを規制することができる。
【００２１】
ホールドパッド１０は、薄型表示装置９０を梱包箱２０に収容する際、スタンドベース９１を薄型表示装置９０の背面側に配置する機能を備えている。更に、ホールドパッド１０は、梱包箱２０に対する上下方向からの外力に対する補強部材としての機能を備えている。本実施形態におけるホールドパッド１０は、帯状であって、薄型表示装置９０の幅ｗと略同寸の幅を備える第１の部位１１と、この第１の部位の幅方向両端から同方向に略垂直に延設した第２及び第３の部位１２，１３とを備えている。また、第１の部位１１には、第２及び第３の部位１２，１３の延設方向と反対方向に延設した上部保持片１４及び下部保持片１５とが形成されている。
【００２２】
本実施の形態におけるホールドパッド１０は、帯状の厚紙を同方向に折り曲げることにより基部及び側面部が形成される。同様に、基部の上辺１１ａ及び下辺１１ｂから、所定幅になるよう平行に２つの切り込みを入れ、この切り込みで囲まれた片を起こすことで上部及び下部保持片１４，１５を構成している。
【００２３】
図４（ａ）、図４（ｂ）、図４（ｃ）は、スタンドベース９１をホールドパッド１０に固定する方法を説明する流れ図である。
まず図４（ａ）に示すように、スタンドベース９１を、湾曲した前面側を上にしつつその裏面がスタンドベース９１の第一の部位１１と対向するよう上部及び下部保持片１４，１５の間に配置する。
【００２４】
次に、図４（ｂ）に示すように、上部保持片１４を切り込みの根元を谷折りして前方に略垂直になるよう配置する。同様に、下部保持片１５を切り込みの根元を谷折りして前方に略垂直になるよう配置する。これにより、スタンドベース９１は、上部保持片１４及び下部保持片１５の第１の部位１１から略垂直に延設した部位の間に位置することとなる。
【００２５】
更に、図４（ｃ）に示すように、上部保持片１４の先端を所定長さだけ下方に折り曲げる。更に、下部保持片１５の先端を所定長さだけ上方に折り曲げる。そして、第４及び第５の部位の上記折り曲げられた先端を、テープ等の接着部材３０により固定する。
【００２６】
図５は、ホールドパッドを図４（ｃ）におけるＡ−Ａ線で切断したときの断面図である。スタンドベース９１は、ホールドパッド１０における、第１の部位１１、上部保持片１４、及び下部保持片１５により、断面における外周を囲まれて固定される。図より、スタンドベース９１の断面外周は、上部保持片１４の第１の部位から切り起こされた連結部位１４ａと、この連結部位１４ａから下方に折り曲げられた先端部位１４ｂとで、上方側を覆われ、下部保持片１５の第１の部位から切り起こされた連結部位１５ａと、この連結部位１５ａから上方に折り曲げられた先端部位１５ｂとで、下方側を覆われている。また、スタンドベース９１は、前面側が湾曲した凹状であるため、その断面は中央部で最も外周が小さい断面となる。そのため、この最も外周の小さい断面部を含む領域を第１の部位１１、上部保持片１４、下部保持片１５で形成された周で囲むことで、スタンドベース９１がその幅方向に動いたとしても、スタンドベース９１の断面外周が上記形成された周を通過できないため、スタンドベース９１は幅方向の動きが規制される。
【００２７】
更に、スタンドベース９１を固定した状態のホールドパッド１０を用いた薄型表示装置の梱包方法を説明する。まず、ディスプレイ９３の四隅に保護部材３０を嵌合する。次に、スタンドベース９１が固定されたホールドパッド１０を、スタンドベース９１の前面側を上方に向けつつ、ディスプレイ９３の背面側における上方の角部、及び下方の角部に嵌合された保護部材３０の間に配置する。そして、保護部材３０及びホールドパッド１０を取り付けた状態でディスプレイ９３を、下部箱体２２の天面開口２４からその内部に収容する。更に、ディスプレイ９３を、上部箱体２１の底面開口２３からその内部に収容し、底面開口２３の内部に下部箱体２２の天面開口２４の縁部を挿入する。最後に、上部箱体２１の底面開口２３外周をテープ等の接着部材により固定する。これにより、薄型表示装置９０は、梱包箱２０に収容される。
【００２８】
２．第２の実施の形態：
図６は、第２の実施の形態に係るホールドパッドと、このホールドパッドに固定されるスタンドベースとを説明する斜視図である。なお、ホールドパッド１０及び薄型表示装置９０におけるスタンドベース９１以外の部位は、第１の実施の形態と同一であるため、その説明は省略する。
図６より、第２の実施の形態に係るホールドパッド１０は、前面部が湾曲したスタンドベース９１以外にも、横断面が略円形状のスタンドベース９１を固定することができるようその形状が工夫されている。すなわち、ホールドパッド１０の上部保持片１４は、連結部位１４ａと、下方に向けて折り曲げられた先端部位１４ｂとの折線を跨ぐように、凹状に折り返された当接部位１６，１６が形成されている。当接部位１６，１６は、上部保持片１４の上記折線を跨ぐように、所定間隔を空けて一組の切り込みを入れるとともに、前記一組の切り込みの内部を凹状に折り曲げることで、先端部位から延設した第１連結片１６ａと、連結部位１４ａから延設した第２連結片１６ｂとがその先端で連結するよう内向きに折り返されて構成されている。
【００２９】
図７は、ホールドパッドを図６におけるＢ−Ｂ線で切断した断面図である。
同図７より、スタンドベース９１におけるＢ−Ｂ線で切断された断面は、当接部位１６における第１連結片１６ａの底面、上部保持片１４の先端部位１４ｂ、下部保持片１５、更には第１の部位１１により形成される周によりその外周を囲まれる。また、当接部位１６の第１連結片１６ａの底面が、スタンドベース９１の上方外周と図における点Ｃで当接する。図には示さないが、図６におけるＣ−Ｃ線で切断された断面においても、同様に、スタンドベース９１の上方外周と当接部位１６の第１連結片１６ａとが所定の点で当接するため、上記した第１連結片１６ａにおける２点と、下部保持片１５における内部壁面とでスタンドベース９１が安定的に保持される。
【００３０】
そのため、スタンドベース９１がホールドパッド１０と係合するための多角形状で構成されない場合であっても、スタンドベース９１をホールドパッド１０に安定的に保持することができる。また、スタンドベース９１をホールドパッド１０に固定するために新たな部材を必要とせず、簡易な構成でホールドパッド１０を形成することができる。
【００３１】
３．第３の実施の形態：
図８は、第３の実施の形態に係るホールドパッドと、このホールドパッドに固定されるスタンドベースとを説明する斜視図である。
同図８より、上部保持片１４の連結部位１４ａには、スリット状の開口１７が形成されている。そのため、略楕円形状のスタンドベース９１を上部保持片１４及び下部保持片１５を用いて、ホールドパッド１０に保持させた場合、スタンドベース９１の外周部縁部が開口１７に挿入してスタンドベース９１をホールドパッド１０に保持する。具体的には、連結部位１４ａの裏面におけるスリット状の開口１７（より詳細には、開口１７の短手辺縁部）外周がスタンドベース９１の外周と点接触し、スタンドベース９１は上記点接触する２点と、下部保持片１５の裏面との計３点で保持される。そのため、スタンドベース９１は、ホールドパッド１０に安定的に保持される。
【００３２】
また、スタンドベース９１をホールドパッド１０により安定的に保持するために、図９に示すように、上部保持片１４及び下部保持片１５の連結部位１４ａ，１５ａにスリット状の開口１７，１８を形成してもよい。図９は、第３の実施の形態に係る他のホールドパッドと、このホールドパッドに固定されるスタンドベースとを説明する斜視図である。図９に示すように、スタンドベース９１の外周上部及び下部とが開口１７に挿入して、上部及び下部保持片１４，１５の裏面における開口１７と係合するため、スタンドベース９１をより安定的にホールドパッド１０に保持することができる。
【００３３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３４】
【図１】薄型表示装置の梱包構造を説明する展開図である。
【図２】本発明に係る薄型表示装置をスタンドベースの底面側から見た斜視図である。
【図３】本発明における薄型表示装置の梱包構造を構成する各部を説明する展開図である。
【図４】図４（ａ）、図４（ｂ）及び図４（ｃ）は、スタンドベース９１をホールドパッド１０に固定する方法を説明する流れ図である。
【図５】図４（ｃ）におけるＡ−Ａ線で切断したときの断面図である。
【図６】第２の実施の形態に係るホールドパッドと、このホールドパッドに固定されるスタンドベースとを説明する斜視図である。
【図７】図６におけるＢ−Ｂ線で切断した断面図である。
【図８】第３の実施の形態に係るホールドパッドと、このホールドパッドに固定されるスタンドベースとを説明する斜視図である。
【図９】第３の実施の形態に係る他のホールドパッドと、このホールドパッドに固定されるスタンドベースとを説明する斜視図である。
【符号の説明】
【００３５】
１０…ホールドパッド、１１…基部、１２，１３…側面部、１４…上部保持片、１４ａ…連結部位、１４ｂ…先端部位、１５…下部保持片、１５ａ…連結部位、１５ｂ…先端部位、１６…当接部位、１６ａ…第１連結片、１６ｂ…第２連結片、１７，１８…開口、２０…梱包箱、２１…上部箱体、２２…下部箱体、２３…底面開口、２４…天面開口、２４ａ…縁部、３０，３１…保護部材、３２…保護部材、９０…薄型表示装置、９１…スタンドベース、９２…脚柱部、９３…ディスプレイ、９４…ねじ部品、９５…ねじ部、９６…フレーム、９７…ねじ部品、９７ａ…貫通穴、９８…支持板、９９…脚部カバー、１００…梱包構造
【図１】
0004671060.tif 000002
【図２】
0004671060.tif 000003
【図３】
0004671060.tif 000004
【図４】
0004671060.tif 000005
【図５】
0004671060.tif 000006
【図６】
0004671060.tif 000007
【図７】
0004671060.tif 000008
【図８】
0004671060.tif 000009
【図９】
0004671060.tif 000010